(57)【要約】　　　（修正有）【課題】複数のアルバム内に共通の曲が重複して含まれるような態様でオーディオ情報が記録された情報記録媒体において、媒体に記録された全ての曲を１回ずつ再生する。【解決手段】情報記録媒体は、複数のオーディオ実体情報と、オーディオ実体情報を再生するための関連情報を有する複数の単位再生制御情報と、記録媒体に含まれる全ての単位再生制御情報を含む集中再生制御情報と、を有する。再生装置は、ユーザにより通常再生が指定された場合には、集中再生制御情報中に含まれる全ての単位再生制御情報に従って複数のオーディオ実体情報を再生し、ユーザにより非重複再生が指定された場合には、重複情報を参照し、重複再生制御情報以外の単位再生制御情報に従って複数のオーディオ実体情報を再生するので、ユーザの選択に応じて、適切な再生モードでオーディオ情報を再生することが可能となる。【選択図】　　　図３
2004005967.tif 000002
【特許請求の範囲】
【請求項１】
相互に独立して再生されるべき複数のオーディオ実体情報と、
各々が前記複数のオーディオ実体情報のうちの１つに対応し、前記オーディオ実体情報を再生するための複数の単位再生制御情報と、を有する情報記録媒体において、
前記複数のオーディオ実体情報は、複数の前記単位再生制御情報によって再生されることが規定されているオーディオ実体情報である重複実体情報を含み、前記複数の単位再生制御情報は、前記重複実体情報の再生を規定する重複単位再生制御情報を含むことを特徴とする情報記録媒体。
【請求項２】
前記重複単位再生制御情報以外の単位再生制御情報の集合により構成される情報群と、前記重複単位再生制御情報を含む単位再生制御情報の集合により構成される情報群とを含むことを特徴とする請求項１に記載の情報記録媒体。
【請求項３】
前記情報記録媒体は、前記記録媒体に含まれる全ての前記単位再生制御情報を含む集中再生制御情報を有することを特徴とする請求項１に記載の情報記録媒体。
【請求項４】
前記集中再生制御情報に含まれる前記単位再生制御情報は、対応する前記実体オーディオ情報の前記記録媒体上の記録位置を示すアドレス情報を含み、同一の実体オーディオ情報に対応する重複再生制御情報と重複再生制御情報以外の再生制御情報とは同一のアドレス情報を含むことを特徴とする請求項１に記載の情報記録媒体。
【請求項５】
前記集中再生制御情報は、前記再生制御情報の各々が前記重複再生制御情報であるか否かを示す重複情報を含むことを特徴とする請求項１に記載の情報記録媒体。
【請求項６】
前記集中再生制御情報は、前記再生制御情報の各々についての属性情報を含み、前記属性情報は、少なくとも対応する実体オーディオ情報の前記記録媒体上の記録位置を示すアドレス情報、サンプリング周波数、量子化ビット数の情報を含むことを特徴とする請求項１に記載の情報記録媒体。
【請求項７】
前記集中再生制御情報は、前記記録媒体のリードインエリアに記録されていることを特徴とする請求項６に記載の記録媒体。
【請求項８】
相互に独立して再生されるべき複数のオーディオ実体情報と、各々が前記複数のオーディオ実体情報のうちの１つに対応し、前記オーディオ実体情報を再生するための複数の単位再生制御情報と、前記記録媒体に含まれる全ての前記単位再生制御情報を含む集中再生制御情報と、を有する情報記録媒体であって、前記複数のオーディオ実体情報は、複数の前記単位再生制御情報によって再生されることが規定されているオーディオ実体情報である重複実体情報を含み、前記複数の単位再生制御情報は、前記重複実体情報の再生を規定する重複単位再生制御情報を含み、前記集中再生制御情報は、前記複数の単位再生制御情報の各々が前記重複再生制御情報であるか否かを示す重複情報を含む情報記録媒体の再生装置において、
前記情報記録媒体から情報を読み取る読取手段と、
通常再生又は非重複再生のいずれかを指定するユーザの指示を受け取る入力手段と、
前記読取手段により読み取られた前記集中再生制御情報を参照し、前記複数のオーディオ実体情報を再生する再生手段と、を有し、
前記再生手段は、通常再生が指定された場合には前記集中再生制御情報中に含まれる全ての前記単位再生制御情報に従って複数のオーディオ実体情報を再生し、非重複再生が指定された場合には、前記重複情報を参照し、前記重複再生制御情報以外の単位再生制御情報に従って複数のオーディオ実体情報を再生することを特徴とする再生装置。
【請求項９】
相互に独立して再生されるべき複数のオーディオ実体情報と、各々が前記複数のオーディオ実体情報のうちの１つに対応し、前記オーディオ実体情報を再生するための複数の単位再生制御情報と、前記記録媒体に含まれる全ての前記単位再生制御情報を含む集中再生制御情報と、を有する情報記録媒体であって、前記複数のオーディオ実体情報は、複数の前記単位再生制御情報によって再生されることが規定されているオーディオ実体情報である重複実体情報を含み、前記複数の単位再生制御情報は、前記重複実体情報の再生を規定する重複単位再生制御情報を含み、前記集中再生制御情報は、対応する前記実体オーディオ情報の前記記録媒体上の記録位置を示すアドレス情報を含む情報記録媒体の再生装置において、
前記情報記録媒体から情報を読み取る読取手段と、
通常再生又は非重複再生のいずれかを指定するユーザの指示を受け取る入力手段と、
前記読取手段により読み取られた前記集中再生制御情報を参照し、前記複数のオーディオ実体情報を再生する再生手段と、
過去に前記再生手段により再生されたオーディオ実体情報のアドレス情報を記憶する記憶手段と、を有し、
前記再生手段は、通常再生が指定された場合には前記集中再生制御情報中に含まれる全ての前記単位再生制御情報に従って複数のオーディオ実体情報を再生し、非重複再生が指定された場合には、前記記憶手段の記憶内容を参照し、対応する実体オーディオ情報のアドレス情報が前記記憶手段に記憶されていない単位再生制御情報のみに従って複数のオーディオ実体情報を再生することを特徴とする再生装置。
【請求項１０】
前記集中再生制御情報は、通常再生の場合及び非重複再生の場合の総再生時間情報を含み、前記再生装置は、ユーザの指定に応じて通常再生又は非重複再生の場合の総再生時間を表示する表示手段を有することを特徴とする請求項８又は９に記載の再生装置。
【請求項１１】
相互に独立して再生されるべき曲に対応する複数のオーディオ実体情報と、各々が前記複数のオーディオ実体情報のうちの１つに対応し、前記オーディオ実体情報を再生するための複数の単位再生制御情報と、複数の曲の集合であるタイトルグループを定義するタイトルグループ情報と、を有する情報記録媒体において、
同一の曲が異なるタイトルグループ中に重複して含まれていることを特徴とする情報記録媒体。
【請求項１２】
請求項１１に記載の情報記録媒体から情報を再生する再生装置において、
前記情報記録媒体から情報を読み取る読取手段と、
タイトルグループ情報を参照し、各タイトルグループに属する全ての曲に対応するオーディオ実体情報を、対応する単位再生制御情報に基づいて再生する再生手段と、を備えることを特徴とする再生装置。
【請求項１３】
請求項１１に記載の情報記録媒体から情報を再生する再生装置において、
前記情報記録媒体から情報を読み取る読取手段と、
タイトルグループ情報を参照し、異なるタイトルグループに重複して属する重複曲を特定する手段と、
各タイトルグループに属する曲に対応するオーディオ実体情報を、対応する単位再生制御情報に基づいて再生する再生手段と、を備え、前記再生手段は、既に再生が行われた前記重複曲を重複して再生しないことを特徴とする再生装置。
【発明の詳細な説明】
【０００１】
【発明の属する技術分野】
本発明は、ＤＶＤに代表される映像、音声等の情報を高密度に記録可能な高密度光ディスク等の情報記録媒体、及び当該情報記録媒体から情報を再生するための再生装置の技術分野に属する。
【０００２】
【従来の技術】
従来は、映像、音声等の情報が記録された光ディスクとしては、いわゆるＬＤ（Ｌａｓｅｒ　Ｄｉｓｋ）、ＣＤ（Ｃｏｍｐａｃｔ　Ｄｉｓｋ）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかし、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記複数の字幕や複数の言語で音声等を記録しておけば、視聴者がそれを選択することにより上記インタラクティブな変化に富んだ再生を楽しむことも可能となる。
【０００７】
【発明が解決しようとする課題】
ＤＶＤは記憶容量が大きいため、音楽等のオーディオ情報を記録する場合には、１枚のＤＶＤに通常のＣＤ数枚分に相当するオーディオ情報を記録することができる。以下、多少の静止画を除き、基本的に音声（音楽）情報だけが記録されたＤＶＤをオーディオＤＶＤと呼ぶことにする。
【０００８】
例えば、１人のミュージシャンのオーディオＤＶＤを作成する場合、そのミュージシャンの複数のＣＤアルバムを１枚のオーディオＤＶＤに記録することができる。また、さらにそのオーディオＤＶＤに、そのミュージシャンの複数の曲をあるテーマに基づいて収集した曲集をアルバムとして記録することもできる。
【０００９】
例えば、ビートルズに関するオーディオＤＶＤにおいて、ビートルズの複数のオリジナルアルバムを１枚のオーディオＤＶＤに記録し、さらにその複数のアルバム中に含まれる曲のうち、ジョンレノンがリードボーカルを採る曲のみを収集した“ジョンレノン・ボーカル集”というような新たなアルバムを追加してオーディオＤＶＤを作成することができる。
【００１０】
このような場合、そのオーディオＤＶＤに記録された複数のアルバムを順に再生すると、同じ曲が複数回に渡って再生されることになる。すなわち、オーディオＤＶＤ上に同じ内容の音声情報が複数回記録されることになるので、上記の例では、“レット・イット・ビー”という曲は、オリジナルアルバム“レット・イット・ビー”の再生中に１回再生され、更に、“ジョンレノン・ボーカル集”というアルバム中で再度再生されることになる。
【００１１】
しかし、このようにオーディオＤＶＤ上に同じ内容の音声情報を複数回記録したのでは、記憶容量の無駄になってしまうという問題がある。
【００１２】
本発明は、以上の点に鑑みてなされたもので、その課題は、記録媒体上に同一の音声情報を重複して複数回記録することなく、記録媒体の記録容量を効率的に利用しつつ上述のようなインタラクティブな再生が可能なように情報が記録された記録媒体、及びその再生装置を提供することにある。
【００１３】
【課題を解決するための手段】
上記の課題を解決するために、請求項１に記載の発明は、相互に独立して再生されるべき複数のオーディオ実体情報と、各々が前記複数のオーディオ実体情報のうちの１つに対応し、前記オーディオ実体情報を再生するための複数の単位再生制御情報と、を有する情報記録媒体において、前記複数のオーディオ実体情報は、複数の前記単位再生制御情報によって再生されることが規定されているオーディオ実体情報である重複実体情報を含み、前記複数の単位再生制御情報は、前記重複実体情報の再生を規定する重複単位再生制御情報を含むように構成する。
【００１４】
上記のように構成された情報記録媒体によれば、複数の再生制御情報が同一のオーディオ実体情報の再生を規定するので、再生制御情報毎に重複してオーディオ実体情報を記録する必要が無くなり、効率的な情報の記録が可能となる。
【００１５】
請求項２に記載の発明は、請求項１に記載の情報記録媒体において、前記重複単位再生制御情報以外の単位再生制御情報の集合により構成される情報群と、前記重複単位再生制御情報を含む単位再生制御情報の集合により構成される情報群とを含むように構成する。
【００１６】
上記のように構成された情報記録媒体によれば、情報記録媒体上に記録された限られたオーディオ実体情報を利用して種々の情報群を規定することができる。
【００１７】
請求項３に記載の発明は、請求項１に記載の情報記録媒体において、前記記録媒体に含まれる全ての前記単位再生制御情報を含む集中再生制御情報を有するように構成する。
【００１８】
上記のように構成された情報記録媒体によれば、集中再生制御情報を参照することにより全ての再生制御情報を得ることができるので、再生処理が単純化される。
【００１９】
請求項４に記載の発明は、請求項１に記載の情報記録媒体において、前記集中再生制御情報に含まれる前記単位再生制御情報は、対応する前記実体オーディオ情報の前記記録媒体上の記録位置を示すアドレス情報を含み、同一の実体オーディオ情報に対応する重複再生制御情報と重複再生制御情報以外の再生制御情報とは同一のアドレス情報を含むように構成する。
【００２０】
上記のように構成された情報記録媒体によれば、各再生制御情報に対応するオーディオ実体情報のアドレス情報を参照することにより、同一のオーディオ実体情報に対応する再生制御情報を知ることができる。従って、非重複再生が指定された場合には、同一のオーディオ実体情報が繰返し再生されることを防止できる。
【００２１】
請求項５に記載の発明は、請求項１に記載の情報記録媒体において、前記集中再生制御情報は、前記再生制御情報の各々が前記重複再生制御情報であるか否かを示す重複情報を含むように構成する。
【００２２】
上記のように構成された情報記録媒体によれば、重複情報を参照することにより、他の単位再生制御情報と同一のオーディオ実体情報の再生を規定する重複再生制御情報を識別することができる。従って、非重複再生が指定された場合には、同一のオーディオ実体情報が繰返し再生されることを防止できる。
【００２３】
請求項６に記載の発明は、請求項１に記載の情報記録媒体において、前記集中再生制御情報は、前記再生制御情報の各々についての属性情報を含み、前記属性情報は、少なくとも対応する実体オーディオ情報の前記記録媒体上の記録位置を示すアドレス情報、サンプリング周波数、量子化ビット数の情報を含むように構成する。
【００２４】
上記のように構成された情報記録媒体によれば、集中再生情報を参照することにより、全ての再生制御情報に対応するオーディオ実体情報の属性を取得することができ、再生時の処理を迅速かつ容易に行うことができる。
【００２５】
請求項７に記載の発明は、請求項６に記載の情報記録媒体において、前記集中再生制御情報は、前記記録媒体のリードインエリアに記録されているように構成する。
【００２６】
上記のように構成された情報記録媒体によれば、リードインエリア内の集中再生制御情報が最初に読取られるので、その後の再生処理などを迅速かつ効率的に行うことが可能となる。
【００２７】
請求項８に記載の発明は、相互に独立して再生されるべき複数のオーディオ実体情報と、各々が前記複数のオーディオ実体情報のうちの１つに対応し、前記オーディオ実体情報を再生するための複数の単位再生制御情報と、前記記録媒体に含まれる全ての前記単位再生制御情報を含む集中再生制御情報と、を有する情報記録媒体であって、前記複数のオーディオ実体情報は、複数の前記単位再生制御情報によって再生されることが規定されているオーディオ実体情報である重複実体情報を含み、前記複数の単位再生制御情報は、前記重複実体情報の再生を規定する重複単位再生制御情報を含み、前記集中再生制御情報は、前記複数の単位再生制御情報の各々が前記重複再生制御情報であるか否かを示す重複情報を含む情報記録媒体の再生装置において、前記情報記録媒体から情報を読み取る読取手段と、通常再生又は非重複再生のいずれかを指定するユーザの指示を受け取る入力手段と、前記読取手段により読み取られた前記集中再生制御情報を参照し、前記複数のオーディオ実体情報を再生する再生手段と、を有し、前記再生手段は、通常再生が指定された場合には前記集中再生制御情報中に含まれる全ての前記単位再生制御情報に従って複数のオーディオ実体情報を再生し、非重複再生が指定された場合には、前記重複情報を参照し、前記重複再生制御情報以外の単位再生制御情報に従って複数のオーディオ実体情報を再生するように構成する。
【００２８】
上記のように構成された再生装置によれば、通常再生又は非重複再生のいずれかを指定するユーザの指示が入力されると、再生装置は集中再生制御情報を参照して複数のオーディオ実体情報を再生する。ここで、再生装置は、通常再生が指定された場合には前記集中再生制御情報中に含まれる全ての前記単位再生制御情報に従って複数のオーディオ実体情報を再生する。一方、非重複再生が指定された場合には、前記重複情報を参照し、前記重複再生制御情報以外の単位再生制御情報に従って複数のオーディオ実体情報を再生する。従って、ユーザの選択に応じて、適切な再生モードでオーディオ情報を再生することが可能となる。
【００２９】
請求項９に記載の発明は、相互に独立して再生されるべき複数のオーディオ実体情報と、各々が前記複数のオーディオ実体情報のうちの１つに対応し、前記オーディオ実体情報を再生するための複数の単位再生制御情報と、前記記録媒体に含まれる全ての前記単位再生制御情報を含む集中再生制御情報と、を有する情報記録媒体であって、前記複数のオーディオ実体情報は、複数の前記単位再生制御情報によって再生されることが規定されているオーディオ実体情報である重複実体情報を含み、前記複数の単位再生制御情報は、前記重複実体情報の再生を規定する重複単位再生制御情報を含み、前記集中再生制御情報は、対応する前記実体オーディオ情報の前記記録媒体上の記録位置を示すアドレス情報を含む情報記録媒体の再生装置において、前記情報記録媒体から情報を読み取る読取手段と、通常再生又は非重複再生のいずれかを指定するユーザの指示を受け取る入力手段と、前記読取手段により読み取られた前記集中再生制御情報を参照し、前記複数のオーディオ実体情報を再生する再生手段と、過去に前記再生手段により再生されたオーディオ実体情報のアドレス情報を記憶する記憶手段と、を有し、前記再生手段は、通常再生が指定された場合には前記集中再生制御情報中に含まれる全ての前記単位再生制御情報に従って複数のオーディオ実体情報を再生し、非重複再生が指定された場合には、前記記憶手段の記憶内容を参照し、対応する実体オーディオ情報のアドレス情報が前記記憶手段に記憶されていない単位再生制御情報のみに従って複数のオーディオ実体情報を再生するように構成する。
【００３０】
上記のように構成された再生装置によれば、通常再生又は非重複再生のいずれかを指定するユーザの指示が入力されると、再生装置は集中再生制御情報を参照して複数のオーディオ実体情報を再生する。ここで、再生装置は、通常再生が指定された場合には前記集中再生制御情報中に含まれる全ての前記単位再生制御情報に従って複数のオーディオ実体情報を再生する。一方、非重複再生が指定された場合には、記録手段の記録内容を参照し、対応する実体オーディオ情報のアドレス情報が前記記憶手段に記憶されていない単位再生制御情報のみに従って複数のオーディオ実体情報を再生する。従って、ユーザの選択に応じて、適切な再生モードでオーディオ情報を再生することが可能となる。
【００３１】
請求項１０に記載の発明は、請求項８又は９に記載の再生装置において、前記集中再生制御情報は、通常再生の場合及び非重複再生の場合の総再生時間情報を含み、前記再生装置は、ユーザの指定に応じて通常再生又は非重複再生の場合の総再生時間を表示する表示手段を有するように構成する。
【００３２】
上記のように構成された再生装置又は再生方法によれば、オーディオ情報の再生前に、指定した再生モードによる総再生時間が表示される。
【００３３】
請求項１１に記載の発明によれば、情報相互に独立して再生されるべき曲に対応する複数のオーディオ実体情報と、各々が前記複数のオーディオ実体情報のうちの１つに対応し、前記オーディオ実体情報を再生するための複数の単位再生制御情報と、複数の曲の集合であるタイトルグループを定義するタイトルグループ情報と、を有する情報記録媒体において、同一の曲が異なるタイトルグループ中に重複して含まれているように構成する。
【００３４】
上記のように構成された情報記録媒体によれば、同一曲が異なるタイトルグループに重複して含まれるようにタイトルグループを定義し、当該曲に対応する単一のオーディオ実体情報のみを情報記録媒体上に記録するので、同一のオーディオ実体情報を重複して記録することなく、様々な態様でタイトルグループを定義することができる。
【００３５】
請求項１２に記載の発明によれば、請求項１１に記載の情報記録媒体から情報を再生する再生装置において、前記情報記録媒体から情報を読み取る読取手段と、タイトルグループ情報を参照し、各タイトルグループに属する全ての曲に対応するオーディオ実体情報を、対応する単位再生制御情報に基づいて再生する再生手段と、を備えるように構成する。
【００３６】
上記のように構成された再生装置によれば、各タイトルグループの定義に従って全てのタイトルグループ中の曲を再生することができる。
【００３７】
請求項１３に記載の発明によれば、請求項１１に記載の情報記録媒体から情報を再生する再生装置において、前記情報記録媒体から情報を読み取る読取手段と、タイトルグループ情報を参照し、異なるタイトルグループに重複して属する重複曲を特定する手段と、各タイトルグループに属する曲に対応するオーディオ実体情報を、対応する単位再生制御情報に基づいて再生する再生手段と、を備え、前記再生手段は、既に再生が行われた前記重複曲を重複して再生しないように構成する。
【００３８】
上記のように構成された再生装置によれば、異なるタイトルグループの再生において、同一の曲を重複して再生することを防止することができる。
【００３９】
【発明の実施の形態】
以下に、本発明の好適な実施の形態について説明する。なお、以下に説明する実施の形態は、上記オーディオＤＶＤに対して本発明を適用した実施の形態について説明するものである。
【００４０】
なお、以下の実施の形態においては、下記リストの左側に示した特許請求の範囲における各構成要素の一例が、下記リストの右側に示した要素から夫々構成されている。
【００４１】
オーディオ実体情報：トラックに相当するオーディオ情報（ＡＯＢに対応）単位再生制御情報　：集中オーディオ情報中のトラック毎のアドレス情報、
属性情報など、又はＡＰＧＣＩ
集中再生制御情報：集中オーディオ情報
重複実体情報：重複トラック
重複再生制御情報：重複トラックに対応するアドレス情報、属性情報など、
又はＡＰＧＣＩ
タイトルグループ情報：タイトルグループを定義づける論理情報（ＡＭＧに対応）
（Ｉ）情報記録媒体の実施の形態
（１）オーディオＤＶＤの物理及び論理フォーマット
（Ａ）物理フォーマット
始めに、オーディオＤＶＤ上における物理フォーマット（物理的記録フォーマット）について、図１を用いて説明する。
【００４２】
先ず、図１に示すように、実施形態のオーディオＤＶＤ２００は、その最内周部にリードインエリアＬＩを有すると共にその最外周部にリードアウトエリアＬＯを有し、その間は、一のボリュームスペースとなっている。この中に、必ずオーディオゾーンが記録される。このオーディオゾーンに、音声情報が、夫々にＩＤ（識別）番号を有する複数のＡＴＳ（Ａｕｄｉｏ　Ｔｉｔｌｅ　Ｓｅｔ）２０３（ＡＴＳ＃１〜ＡＴＳ＃ｎ）に分割されて記録される。
【００４３】
リードインエリアＬＩのすぐ外周部には、当該ディスク内に記録されるファイルのフォーマットを管理する情報を有するＵＤＦ（Ｕｎｉｖｅｒｓａｌ　Ｄｉｓｋ　Ｆｏｒｍａｔ）が記録され、それに続いてＡＭＧ（Ａｕｄｉｏ　Ｍａｎａｇｅｒ）２０２が記録される。このＡＭＧ２０２として記録される情報は、例えば、ユーザに対して項目選択を促すためのメニューや、違法コピー防止のための情報、又は夫々のタイトルにアクセスするためのアクセステーブル等、当該オーディオＤＶＤ２００に記録されている音声情報を再生するために必要な管理情報である。
【００４４】
一のＡＴＳ２０３は、ＡＴＳＩ（Ａｕｄｉｏ　Ｔｉｔｌｅ　Ｓｅｔ　Ｉｎｆｏｒｍａｔｉｏｎ）２１１を先頭として、夫々にＩＤ番号を有する複数のＡＯＢ（Ａｕｄｉｏ　Ｏｂｊｅｃｔ）２１０から構成される。
【００４５】
ここで、複数のＡＯＢ２１０により構成されている部分をＡＯＢセット（ＡＯＢＳ）という。このＡＯＢセットは音声情報の実体部分であり、ＡＴＳＩ２１１は複数のＡＯＢ２１０から成るＡＯＢセットの管理・制御情報である。
【００４６】
ＡＴＳ２０３の先頭に記録されるＡＴＳＩ２１１には、複数のセル（セルについては後述する。）を組合わせた論理的区分であるプログラムチェインに関する種々の情報であるＡＰＧＣＩ（Ａｕｄｉｏ　Ｐｒｏｇｒａｍ　Ｃｈａｉｎ　Ｉｎｆｏｒｍａｔｉｏｎ）等の情報が記録される。また、各ＡＯＢ２１０には、制御情報の他に音声情報の実体部分（制御情報以外の音声そのもの）が記録される。
【００４７】
一のＡＯＢ２１０は、夫々にＩＤ番号を有する複数のセル２２０により構成されている。
【００４８】
一のセル２２０は、夫々パック化された複数のオーディオパック２３０、又は、オーディオパック２３０とリアルタイム情報パック（Ｒｅａｌ　Ｔｉｍｅ　Ｉｎｆｏｒｍａｔｉｏｎ　Ｐａｃｋ）２３１により構成される。オーディオパック２３０は、オーディオＤＶＤに記録されるべき音声情報を所定の大きさ毎にパック化したものであり、例えばリニアＰＣＭなどによりデジタル化されたオーディオ情報が含まれる。リアルタイム情報パック２３１には、テキスト情報、ＢＰＭ（Ｂｅａｔ　Ｐｅｒ　Ｍｉｎｕｔｅｓ），拍情報、等が含まれる。
【００４９】
以上説明した図１に示す階層構造の記録フォーマットにおいて、夫々の区分は、オーディオＤＶＤ２００内に記録させる記録情報の製作者（以下、単に製作者という。）がその意図に応じて自在に区分設定をして記録できるものである。これらの区分毎に後述の論理構造に基づいて再生することにより、変化に富んだ種々の再生が可能となる。
【００５０】
（Ｂ）論理フォーマット
次に、図１に示す物理的な区分により記録された情報を組合わせた論理的フォーマット（論理構造）について図２を用いて説明する。
【００５１】
なお、図２に示す論理構造は、その構造で実際にオーディオＤＶＤ２００上に情報が記録されているのではない。オーディオＤＶＤ上にはあくまで図１に示す物理フォーマットで音声情報が記録されており、この音声情報を再生するための情報が図２に示す論理フォーマットで、前述したＡＭＧ２０２、ＡＴＳＩ２１１に記録されているのである。
【００５２】
説明の便宜上図２の下位の階層から説明していくと、上記図１において説明した物理構造のうち、一又は複数のセル２２０を選択して組合わせることにより、インデックス２５９を構成する。インデックス２５９は、曲番としても使うことができ、ユーザによって、アクセス可能な最小の単位である。
【００５３】
一又は複数のインデックス２５９により一のトラック２６０が論理上構成される。このトラック２６０は一つの曲に相当する情報単位である。ユーザは任意のトラック（曲）を選択し、これにダイレクトにアクセスすることができる。
【００５４】
ここで、一のセル２２０の番号については、当該セル２２０を図１に示す物理フォーマットにおいて取り扱う際にはセルＩＤ番号として取り扱い（図１中、セルＩＤ＃と示す。）、図２に示す論理フォーマットにおいて取り扱う際には後述のＡＰＧＣＩ中の記述順にセル番号として取り扱う。
【００５５】
トラック（曲）は、複数のセルを含む情報単位であり、ある共通の属性などを有するセルの集合である。すなわちトラック内の全てのセルの属性は、すべて同一である。また、トラックに含まれる全てのセルは、同一のオブジェクト内に、隣接して記録される。
【００５６】
一又は複数のトラック２６０を組合わせて一のタイトル２６１が論理上構成される。但し、ユーザから、このタイトル自体が、アクセスの単位として認識されることはない。従って、タイトル番号を指定して任意のタイトルにアクセスすることはできない。
【００５７】
オーディオＤＶＤでは、タイトル２６１を構成する各トラック２６０の属性を最大８パターンの中で独立に定義することができる。すなわち各トラック（曲）毎に、チャンネル数、量子化方法、サンプリング周波数など音声情報としての属性を変更してもよい。
【００５８】
このタイトル２６１の単位で、前述したＡＰＧＣＩが定義され、当該ＡＰＧＣＩには、各トラックの属性、夫々のトラック２６０を再生する際の各トラック２６０毎のセル２２０の再生順序、夫々のセル２２０のオーディオＤＶＤ２００上の記録位置であるアドレス、一のトラック２６０における再生すべき先頭セル２２０の番号、各トラック２６０の再生方式及び各種コマンドが含まれている。
【００５９】
一のタイトル２６１には、上記ＡＰＧＣＩの他に、実体的な音声情報がトラック（曲）２６０の組合わせとして（換言すれば、セル２２０の組合わせとして）含まれることとなる。
【００６０】
一又は複数のタイトル２６１により、一のタイトルグループ２６２が論理上構成される。また、タイトルグループ２６２は、ユーザがアクセスできる最大の単位で、１ボリューム中、最大９個まで定義することができる。このタイトルグループ２６２は、ある一定の関連性に基づいて集合された一又は複数のタイトル２６１により構成され、タイトルグループ内の全てのタイトルは、連続的に再生される。例えば、ある歌手、作曲家の曲集などを一つのタイトルグループとして集合させることができる。
【００６１】
一又は複数のタイトルグループ２６２により、一のボリューム２６３が論理上構成される。このボリューム２６３は一枚のアルバム（ＤＶＤディスク）に相当する情報単位である。
【００６２】
図２に示す一のタイトルに含まれる実際の音声情報は、オーディオＤＶＤ上では図１に示すいずれか一のＡＴＳ２０３内に記録されていることになる。
【００６３】
以上説明した論理フォーマットに基づいて、物理構造において区分された情報を製作者が指定することにより、視聴者が聞く音楽が形成される。
（２）オーディオＤＶＤに記録される音声情報の内容
実施形態の詳細を説明する前に、オーディオＤＶＤ上のオーディオ情報の記録態様について大まかに説明しておく。オーディオＤＶＤはＣＤ（コンパクトディスク）に比べて記録容量がかなり大きく、１枚のオーディオＤＶＤ内に複数のＣＤに相当する音楽情報を記録することができる。ここで、オーディオＤＶＤ上で、１枚のＣＤアルバムに相当するようなオーディオ情報のまとまりは、論理フォーマットで説明したタイトルグループ２６２に相当する。
【００６４】
例えば、ビートルズの複数のオリジナルＣＤアルバムを集めたオーディオＤＶＤがあるとする。この場合、当該オーディオＤＶＤ中には、“レット・イット・ビー”、“アビーロード”などの複数（例えば４枚）のＣＤアルバムに収録されていた曲が全て含まれている。この個々のＣＤアルバムに対応するオーディオ情報が個々のタイトルグループ２６２として記録される。例えば、“レット・イット・ビー”がタイトルグループ＃１に記録され、“アビーロード”がタイトルグループ＃２に記録されるという具合である。
【００６５】
上記の例では１枚のオリジナルＣＤアルバムが１つのタイトルグループに対応しているが、この他に、１枚のオーディオＤＶＤに記録されたオーディオ情報中から、あるテーマに基づいて集められたオーディオ情報のまとまりによってもタイトルグループを構成することができる。
【００６６】
例えば、上記のオーディオＤＶＤ上に複数のオリジナルＣＤアルバムに対応するタイトルグループ＃１〜＃４の他に、４枚のオリジナルＣＤアルバムに収録されていた曲の中から、ジョンレノンがリードボーカルをとる曲を集めた“ジョンレノン・ボーカル集”（例えばタイトルグループ＃５とする）、或いは“ポールマッカートニー・ボーカル集”（例えばタイトルグループ＃６とする）というようにタイトルグループを構成できる。但し、このタイトルグループ＃５、＃６に含まれている曲は上記タイトルグループ＃１〜＃４に属するいずれかの曲が再生されるだけである。即ち、オーディオＤＶＤ上に記録されている実際のオーディオ情報としては、上記複数のタイトルグループ＃１〜＃４と同一の曲のオーディオ情報が別個のタイトルグループ＃５、＃６としてオーディオＤＶＤ上に重複して記録されるわけではない。
【００６７】
これは、同一の情報を重複して記録することにより記憶媒体の容量を無駄に使用することを防止するためである。従って、タイトルグループ＃５、＃６内に含まれる曲のオーディオ情報は、タイトルグループ＃１〜＃４に含まれている曲のオーディオ情報としてオーディオＤＶＤ上の各ＡＴＳ２０３に記録されているものである。タイトルグループ＃５、＃６に含まれる曲の再生は当該タイトルグループにおける再生制御情報（この場合は、ＡＭＧ及びＡＴＳＩ内に記述される再生制御情報）を参照して各ＡＴＳ２０３に属する実体的なオーディオ情報を再生することにより行われる。
【００６８】
なお、上記のようにあるテーマなどに基づいて作成されたオーディオ情報の集まり（○○集など）を「コレクション」とも呼ぶ。よって、「コレクション」とは、自身とは異なるタイトルグループとして記録された実体的情報を含むタイトルグループであるということもできる。
【００６９】
また、タイトルグループは、ユーザが認識する曲のまとまりに対応すると考えることができる。前述の例では、１枚のオーディオＤＶＤに４枚のオリジナルＣＤアルバムに相当するタイトルグループ＃１〜＃４と、２つのコレクションに相当するタイトルグループ＃５、＃６が記録されている。この場合、当該オーディオＤＶＤに添付される内容リストとしては、合計６枚の異なるＣＤアルバムが含まれていることと同じである。実際には、２つのコレクション（＃５、＃６）に相当するタイトルグループの実体的情報は４枚のオリジナルＣＤアルバムに相当するタイトルグループに含まれる曲のオーディオ情報であり、実体的なオーディオ情報がオーディオＤＶＤ上に重複して記録されているわけではない。しかし、ユーザはそのような事情は認識せず、６枚の異なるＣＤアルバムが１枚のオーディオＤＶＤに記録されていると認識することができるのである。従って、オーディオＤＶＤ上の実体的なオーディオ情報の記録状態に拘わらず、タイトルグループをユーザが認識する曲のまとまりと考えることができる。
（３）オーディオ集中情報
次に、オーディオＤＶＤ上の記録情報のうち、オーディオ集中情報について説明する。オーディオ集中情報とは、オーディオＤＶＤ上に記録されるオーディオ情報の再生に関連する必要な情報の集合を指し、オーディオＤＶＤのリードインエリアＬＩ又はＡＭＧ２０２内に記録されるものである。
【００７０】
前述のように、オーディオＤＶＤにおいては、オーディオ情報の実体は各ＡＴＳ２０３に記録されており、その再生のために必要な制御情報やそのオーディオ情報の属性などに関する付帯的情報は各ＡＴＳ３内のＡＴＳＩ２１１中に記述されている。従って、各タイトルグループに属するオーディオ情報を再生するためには、各ＡＴＳ内のＡＴＳＩを参照し、そのコントロールデータに含まれる再生制御情報を取得することが必要となる。一般的にオーディオＤＶＤ再生装置では、オーディオＤＶＤディスクが挿入されると、リードインエリアＬＩの読み取りの後、音声の実体情報の読み取りに先立ってＡＭＧ２０２及び各ＡＴＳ２０３のＡＴＳＩ２１１のコントロールデータ内の再生制御情報（ＡＰＧＣＩ）が読み取られ、再生装置内の所定のメモリに記憶される。従って、各曲の再生時には、再生すべきオーディオ情報が属するタイトルグループの再生制御情報（ＡＰＧＣＩ）を該メモリから取得し、これに基づいて再生を行う。
【００７１】
ところで、ＡＴＳＩ２１１のコントロールデータ内の再生制御情報（ＡＰＧＣＩ）は、単にトラックの再生のための情報だけでなく、各種機能を実現するための様々の情報、例えば、曲番サーチや特殊再生のための情報が含まれている。しかしながら、ポータブルプレーヤのような簡易再生装置の場合は多くの機能を必要としない場合が普通であり、この再生制御情報（ＡＰＧＣＩ）の一部の情報しか使わないことになる。また、タイトルが変わる毎に新しい再生制御情報（ＡＰＧＣＩ）をディスクから読み出し、該メモリに記憶する必要がある。よって、ディスク全体に何曲収録されているか、どのような属性の曲で構成されているのか、重複した曲があるのか等を知るためには、全ての再生制御情報（ＡＰＧＣＩ）を読み出し、検索及び計算する必要がある。これには時間がかかり、非効率的である。
【００７２】
そこで、本発明においては、オーディオＤＶＤディスク上に記録された全てのトラック（曲）についての再生制御情報をリードインエリアＬＩ又はＡＭＧ２０２内にオーディオ集中情報として記録しておく。こうすることにより、どのタイトルグループに属するどの曲を再生する場合でも、当該オーディオ集中情報を参照することにより容易且つ迅速に再生制御情報を取得することができ、円滑な再生が可能となる。即ち、リードインエリアＬＩに集中情報が記録されていれば、オーディオＤＶＤディスク挿入後、直ちに曲の再生に必要な再生制御情報を得ることができる。
【００７３】
図３に、オーディオ集中情報の例を示すリードインエリアＬＩ又はＡＭＧ２０２に記録されるオーディオ集中情報は、各ＡＴＳ２０３内のＡＴＳＩ２１１に記述される再生制御情報の集合であるということができる。
【００７４】
図３の例では、このオーディオＤＶＤは４つのタイトルグループを有している。そして、各タイトルグループがそれぞれ各ＡＴＳに対応しているものとする（タイトルグループ＃１はＡＴＳ＃１に、タイトルグループ＃２はＡＴＳ＃２というような対応）。前述のようにタイトルグループはＣＤアルバム１枚に相当する概念であり、ユーザからは４枚の異なるＣＤアルバムが１枚のオーディオＤＶＤに記録されていると認識される。
【００７５】
オーディオ集中情報は、さらに各トラック（曲）のスタートアドレス及びエンドアドレスを含む。これらはオーディオＤＶＤ上の絶対アドレスであってもよいし、オーディオ集中情報が記録された位置からの相対アドレスであってもよい。
【００７６】
また、オーディオ集中情報にはオーディオ属性情報が含まれる。オーディオ属性情報は、オーディオＤＶＤ上に記録された全てのトラックのオーディオ情報の属性に関する情報である。具体的には、このオーディオ属性情報は、オーディオ情報の符号化方式、サンプリング周波数、量子化ビット数、オーディオ情報として含まれているチャンネル数、当該オーディオ情報のエンファシスの有無数等の情報である。オーディオＤＶＤ再生装置はこれらのオーディオ属性情報に合うように自動的に適応して再生を行う。
【００７７】
図３のタイトルグループ＃３及び＃４は、上述のコレクションに相当するタイトルグループである。つまり、見かけ上タイトルグループ＃１、＃２とは異なるアルバムとしてユーザに認識されるが、実体的にはグループ＃１、＃２に含まれるトラックを含んでいる。本発明では、このコレクションに関連する情報として重複フラグという情報を導入し、これをオーディオ集中情報に含めている。重複フラグとは、各トラック毎に付される情報であり、自身のトラックと異なる他のトラックとして再生される実体的オーディオ情報を再生するトラックであることを示すフラグである。図３を参照すると、重複フラグが“１”であるトラック（以下、「重複トラック」と呼ぶ。）は、再生されるべき実体的なオーディオ情報としては、他のタイトルグループに属するトラックと同一のオーディオ情報を再生するトラックであることが分かる。即ち、タイトルグループ＃３のトラック＃１は、そのアドレスを見ると分かるように、タイトルグループ＃１のトラック＃１と同一のオーディオ情報を対象としている。つまり、これらのトラックに対応するオーディオ情報はアドレス５００００から６００００に記録されており、ＡＴＳ＃１に属している。タイトルグループ＃３のトラック＃１は、タイトルグループ＃１のトラック＃１と同一のオーディオ情報である。従って、タイトルグループ＃３のトラック＃１を再生する際は、再生装置はタイトルグループ＃１のトラック＃１と同一アドレスのオーディオ情報を再生する。
【００７８】
また、重複フラグは、オーディオ集中情報に必ず設けなければならないものではない。重複フラグがオーディオ集中情報中に存在しない場合は、アドレス情報を比較することにより重複トラックか否かを判定することができる。つまり、今まで再生したトラックアドレス情報をメモリに記憶しておき、今回再生するトラックのアドレス情報と同じものがメモリ内に存在するか否かを判断する。同一のアドレス情報がメモリ内に存在しなければ今回のトラックを再生し、メモリ内に存在すれば重複トラックと判定し再生しないようにすればよい。
【００７９】
なお、図３における重複フラグの欄には、説明の便宜上、そのトラックに対応するオーディオ情報が記録されているトラックを数字で示している。たとえば、タイトルグループ＃３、トラック＃１の「（１−１）」の表示は、そのトラックがオーディオ情報としてはグループ１のトラック１と同一であることを示している。
【００８０】
このように、重複フラグを記録しておくと、オーディオＤＶＤに記録された音楽情報を前述のＭＤ（ミニディスク）等にダビングする場合に、同じ曲が重複して再生され、ＭＤにコピーされることを防止することができる。
【００８１】
前述のように、１つのタイトルグループはユーザからは１つのＣＤアルバムに相当するものとして認識される。従って、ユーザが図３に示す内容のオーディオＤＶＤをそのタイトルグループ＃１からタイトルグループ＃４まで順に再生する指示を再生装置に入力したとすると、同一の曲が複数回に渡り再生されることになる（以下、この再生モードを「通常再生」と呼ぶ。）。ユーザによっては、そのような繰返しを好まないこともある。また、このオーディオＤＶＤの曲をＭＤなどにダビングする場合は、同一の曲が繰返し記録されることとなり不適当である。
【００８２】
このような場合、重複フラグを参照するかアドレス情報の比較により重複トラックを判定し、重複トラックは再生しないこととすれば、同じ曲が繰返し再生されることが防止できる。即ち、ディスクに記録された全ての実体的オーディオ情報（曲）を１回ずつ再生することができる（以下、この再生モードを「非重複再生」と呼ぶ。）。
【００８３】
オーディオ集中情報には、さらに再生時間が記録されている。具体的には、図３に示すように、各トラック毎の再生時間、各グループ毎の総再生時間、ディスクの総再生時間、及びディスクの総収録時間である。ここで、ディスク総再生時間は、各グループのトラックを順に再生する場合（通常再生）の再生時間であり、重複トラックに関しては他のグループと同一のトラックが再度再生される場合の再生時間である。これに対し、ディスク総収録時間とは、上記非重複再生、即ち、同一の曲を繰返し再生しないモードにおける総再生時間である。総収録時間は、上記のようにオーディオＤＶＤの曲をテープなどにダビングする際に有用な情報である。
【００８４】
また、オーディオ集中情報中に各トラックの再生時間のみを記憶しておき、各トラックの再生時間を加算することにより各種の総再生時間を得るようにしてもよい。例えば、ディスク総再生時間は全てのタイトルグループに含まれるトラックの再生時間を合計することにより得られる。ディスク総収録時間は、重複フラグを参照するかアドレス情報の比較により重複トラックを判定し、重複トラックを除いた全てのタイトルグループに含まれるトラックの再生時間を合計することにより得られる。
【００８５】
なお、再生装置の実際の再生動作については、後述する。
（ＩＩ）再生装置の実施の形態
（１）オーディオＤＶＤ再生装置
次に、オーディオＤＶＤ２００に記録されたオーディオ情報を再生するためのオーディオＤＶＤ再生装置の実施の形態を、図４を用いて説明する。
【００８６】
図４に示すように、オーディオＤＶＤ再生装置は、ピックアップ８０と、復調訂正部８１と、ストリームスイッチ８２及び８４と、トラックバッファ８３と、システムバッファ８５と、デマルチプレクサ８６と、オーディオバッファ９２と、オーディオデコーダ９３と、オーディオデコーダバッファ９４と、ＲＴＩバッファ９５と、ＲＴＩデコーダ９６と、ＲＴＩデコーダバッファ９７と、入力部９８と、ディスプレイ９９と、システムコントローラ１００と、ドライブコントローラ１０１と、スピンドルモータ１０２と、スライダモータ１０３と、により構成されている。なお、図４に示す構成は、オーディオＤＶＤ再生装置の構成のうち、音声の再生に関する部分のみを記載したものであり、ピックアップ８０及びスピンドルモータ１０２並びにスライダモータ１０３等をサーボ制御するためのサーボ回路等は従来技術と同様であるので、図示及び細部説明を省略する。
【００８７】
次に、動作を説明する。
【００８８】
ピックアップ８０は、図示しないレーザダイオード、ビームスプリッタ、対物レンズ、光検出器等を含み、オーディオＤＶＤ２００に対して再生光としての光ビームＢを照射すると共に、当該光ビームＢのオーディオＤＶＤ２００からの反射光を受光し、オーディオＤＶＤ２００上に形成されている情報ピットに対応する検出信号Ｓｐを出力する。このとき、光ビームＢがオーディオＤＶＤ２００上の情報トラックに対して正確に照射されると共に、オーディオＤＶＤ１上の情報記録面で正確に焦点を結ぶように、図示しない対物レンズに対して従来技術と同様の方法によりトラッキングサーボ制御及びフォーカスサーボ制御が施されている。
【００８９】
ピックアップ８０から出力された検出信号Ｓｐは、復調訂正部８１に入力され、復調処理及び誤り訂正処理が行われて復調信号Ｓｄｍが生成され、ストリームスイッチ８２及びシステムバッファ８５に出力される。
【００９０】
復調信号Ｓｄｍが入力されたストリームスイッチ８２は、ドライブコントローラ１０１からのスイッチ信号Ｓｓｗ１によりその開閉が制御され、閉のときには、入力された復調信号Ｓｄｍをそのままスルーしてトラックバッファ８３に出力する。一方、ストリームスイッチ８２が開のときには、復調信号Ｓｄｍは出力されず、不要な情報（信号）がトラックバッファ８３に入力されることがない。
【００９１】
復調信号Ｓｄｍが入力されるトラックバッファ８３は、ＦＩＦＯ（Ｆｉｒｓｔ　Ｉｎ　Ｆｉｒｓｔ　Ｏｕｔ）メモリ等により構成され、入力された復調信号Ｓｄｍを一時的に記憶すると共に、ストリームスイッチ８４が閉とされているときには、記憶した復調信号Ｓｄｍを連続的に出力する。
【００９２】
ストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓｓｗ２により開閉が制御される。
【００９３】
一方、トラックバッファ８３と並行して復調信号Ｓｄｍが入力されるシステムバッファ８５は、オーディオＤＶＤ２００をローディングしたときに最初に検出され、オーディオＤＶＤ２００に記録されている情報全体に関する管理情報（ＡＭＧ２０２等）又はＡＴＳ２０３毎のＡＴＳＩ２１１を蓄積して制御情報Ｓｃとしてシステムコントローラ１００に出力すると共に、システムコントローラ１００に制御情報Ｓｃを出力する。
【００９４】
ストリームスイッチ８４を介して復調信号Ｓｄｍが連続的に入力されたデマルチプレクサ８６においては、当該復調信号Ｓｄｍから各パック毎にオーディオ情報を抽出し、オーディオ信号Ｓａｄとしてオーディオバッファ９２に出力する。
【００９５】
オーディオ信号Ｓａｄが入力されるオーディオバッファ９２は、ＦＩＦＯメモリ等により構成され、入力されたオーディオ信号Ｓａｄを一時的に蓄積し、オーディオデコーダ９３に出力する。オーディオ信号Ｓａｄは、オーディオデコーダ９３に入力され、システムコントローラ１００から出力される制御信号Ｓｈｃに基づいて、リニアＰＣＭ方式における再生処理等が施されて復調オーディオ信号Ｓａｄｄとして図示しないスピーカ等に出力される。
【００９６】
例えば、リアルタイムテキスト等のリアルタイム情報は、デマルチプレクサからＲＴＩバッファに出力される。ＲＴＩバッハァに一時的に蓄積されたデータは、システムコントローラ１００から出力される制御信号Ｓｈｃに基づいて、ＲＴＩデコーダへと出力され、図示しない表示装置に歌詞等の表示を行う。
【００９７】
所望の情報へのアクセス直後の再生等において一時的に音声を中断する（ポーズする）必要があることが検出された場合には、システムコントローラ１００からポーズ信号Ｓｃａがオーディオデコーダ９３に出力され、当該オーディオデコーダ９３は一時的に復調オーディオ信号Ｓａｄｄの出力を停止する。
【００９８】
次に、本発明に特に関連するオーディオデコーダ９３の構成及び動作について説明する。図５にオーディオデコーダ９３の構成を示す。図示のように、オーディオデコーダ９３は、デジタルフィルタなどを含む信号処理部１２０と、Ｄ／Ａコンバータ１２１と、アンプなどを含むアナログ出力回路１２２と、ディジタル出力回路１２３と、ＲＡＭ１２４ａを含むシステムマイコン１２４と、クロック回路１２５と、を備える。
【００９９】
システムマイコン１２４は、システムコントローラ１００との間で制御信号Ｓｃａを交換し、クロック回路１２５、信号処理部１２０、Ｄ／Ａコンバータ１２１、アナログ出力回路１２２の動作制御を行う。システムマイコン１２４は、内部にＲＡＭ１２４ａを有する。ＲＡＭ１２４ａは、システムコントローラ１００から制御信号Ｓｃａとして供給されるオーディオ属性情報を一時的に記憶し、信号処理部１２０、Ｄ／Ａコンバータ１２１、クロック回路１２５などへ制御信号を供給する。
【０１００】
信号処理部１２０は、クロック回路１２５からのクロック信号ｆｓを使用し、システムマイコン１２４から得た符号化方式（リニアＰＣＭ又はドルビーＡＣ３など）、サンプリング周波数、量子化ビット数などの情報に従って、オーディオバッファ９２から供給されるオーディオ信号の復号化、帯域制限などの処理を行い、更に、エンファシスの有無の情報に従ってディエンファシス処理を行い、Ｄ／Ａコンバータ１２１へ出力する。Ｄ／Ａコンバータ１２１は、システムマイコン１２４から得たチャンネル情報に従って、入力された信号をチャンネル毎に分割し、さらに各チャンネル毎のアナログ信号としてアナログ出力回路１２２へ出力する。アナログ出力回路１２２は、各チャンネルの信号毎に適正な増幅処理を施し、アナログオーディオ信号として図示しないスピーカなどへ出力する。
【０１０１】
また、信号処理部１２０は、ディジタル出力回路１２３を介してディジタルオーディオ信号Ｓａｄｄを外部へ出力する。
【０１０２】
次に、曲の再生時の動作について説明する。次に再生すべきトラック（曲）が指定されると、再生装置は、リードインエリアＬＩ又はＡＭＧ２０２内のオーディオ集中情報中のオーディオ属性情報を参照し、指定されたトラックのオーディオ属性情報に従ってオーディオデコーダ９３内の動作制御を行う。
【０１０３】
ＡＭＧ２０２内のオーディオ集中情報中には図３に示すように各トラックの記録されているオーディオＤＶＤ上のアドレス情報も記録されている。従って、システムコントローラ１００は、このアドレス情報（スタートアドレス）に基づいて、ドライブコントローラ１０１へ制御信号Ｓｃｓｌを送り、ピックアップ８０を上記スタートアドレスへ移動させる。この処理は、ユーザーによる当該トラックの再生指示後直ちに開始する。即ち、上記のオーディオデコーダ９３内の制御と時間的に並行して行う。
【０１０４】
指示されたトラックのスタートアドレスにピックアップ８０を移動させた後、システムコントローラ１００は、ピックアップ８０を一時的に待機状態とし、オーディオデコーダ９３内のオーディオ属性の設定が完了する程度の待機時間の経過後に再生を開始する。以上のようにして、曲の再生が行われる。
【０１０５】
（２）オーディオＤＶＤの再生方法
次に、オーディオＤＶＤ上に記録されたオーディオ集中情報を用いたオーディオ情報の再生方法である、通常再生及び非重複再生について説明する。
【０１０６】
図６に基づいて通常再生について説明する。図６はその再生処理手順を示したフローチャートである。
【０１０７】
先ず、再生装置は、メニュー画面などを表示し、ユーザに通常再生モード又は非重複再生モードのいずれかの選択を促す（ステップＳ１）。これに対してユーザが通常再生を選択すると（ステップＳ３：ＹＥＳ）、システムコントローラ１００は、内部メモリ１００ａ内に記憶されたオーディオ集中情報を参照し、まず、ディスク総再生時間を取得し、ディスプレイ９９に表示する（ステップＳ１５）。これにより、ユーザは通常再生に要する時間を知ることができる。なお、前述のように総再生時間は各トラックの再生時間を加算することにより求めてもよい。
【０１０８】
次に、タイトルグループ＃１のトラック＃１のスタートアドレス、エンドアドレス、属性情報などを取得する（ステップＳ１６）。次に、システムコントローラ１００は、ドライブコントローラ１０１を制御してピックアップ８０を対応するスタートアドレスに移動させると共に、取得した属性情報をオーディオデコーダ９３へ送ってオーディオ属性の設定を行う。そして、所定の待機時間の経過後、トラック＃１を再生する（ステップＳ１７）。トラック＃１の再生が終了すると、システムコントローラ１００は、オーディオ集中情報を参照して次のトラックがあるか否かを確認する（ステップＳ１９）。
【０１０９】
次のトラックがある場合（ステップＳ１９：ＹＥＳ）、同様にそのスタートアドレス、エンドアドレス、属性情報などを取得し、そのトラックの再生を行う（ステップＳ１６乃至１７）。以上の処理を最後のタイトルグループの最後のトラックまで繰返し、ディスク上の全てのトラックの再生が終了すると（ステップＳ１９：ＮＯ）、通常再生動作を終了する。以上の動作により、全てのトラックが再生される。即ち、コレクションであるタイトルグループ３、タイトルグループ４では、他のタイトルグループにおいて既に再生されたトラックが再度再生されることになる。
【０１１０】
一方、ユーザが非重複再生を選択すると（ステップＳ３：ＮＯ）、システムコントローラ１００は、内部メモリ１００ａ内に記憶されたオーディオ集中情報を参照する（ステップＳ５）。そして先ず、ディスク総収録時間を取得し、ディスプレイ９９に表示する（ステップＳ６）。これによりユーザはそのオーディオＤＶＤに記録された曲を１回ずつ再生した場合の総再生時間を知ることができる。ユーザはダビングの際には、この時間を基に、使用するテープの時間などを決定することができる。
【０１１１】
次に、システムコントローラ１００は、タイトルグループ＃１のトラック＃１のスタートアドレス、エンドアドレス、重複フラグ、属性情報などを取得し（ステップＳ７）、そのトラックの重複フラグが“１”であるか否かを確認する（ステップＳ９）。重複フラグが“１”でない場合、その曲を再生する（ステップＳ１１）。具体的には、ドライブコントローラ１０１を制御してピックアップ８０を対応するスタートアドレスに移動させ、さらに取得した属性情報をオーディオデコーダ９３へ送ってオーディオ属性の設定を行う。そして、所定の待機時間の経過後、トラック＃１を再生する。
【０１１２】
一方、重複フラグが“１”である場合（ステップＳ９：ＮＯ）、その曲は既に他のタイトルグループで再生されており、再生不要であるので、次のトラックがあるか否かを調べる（ステップＳ１３）。次のトラックがある場合には、ステップＳ７へ戻って、次のトラックの重複フラグを確認し、その内容に従って再生処理を継続する。そして、重複フラグが“０”である全てのトラックの再生が終了すると（ステップＳ１３：ＮＯ）、再生処理を終了する。
【０１１３】
以上の動作により、オーディオＤＶＤディスクに記録された曲が各々１回ずつ再生される。従って、図３に示す例では、再生装置はタイトルグループ１及び２の全てのトラックを再生した後、タイトルグループ３のトラック２及びトラック４のみを再生し、再生を終了する。タイトルグループ４のトラックはいずれも重複トラックであり、他のタイトルグループにおいて再生されているので再度の再生は行われない。
【０１１４】
次に、図７を参照して、オーディオＤＶＤ上に記録されたオーディオ情報の再生方法の別の実施形態について説明する。この実施形態はオーディオ集中情報中に重複情報（重複フラグ）が含まれていない場合の再生処理手順を示すフローチャートである。この場合、重複情報が無いので、先に述べたように各トラックのアドレス情報を比較することにより重複トラックであるか否かを判断することになる。具体的には、過去に再生したトラックのアドレス情報をシステムコントローラ１００内のメモリ１００ａに記憶しておき、次に再生しようとするトラックのアドレス情報がメモリ１００ａ内に存在するか否かを判断する。以下、図７に基づいて説明する。
【０１１５】
図７において、まず、再生モードの選択画面が表示され（ステップＳ２１）、ユーザは通常再生モード又は非重複再生モードのいずれかを選択する（ステップＳ２３）。通常再生モードが選択された場合には、図６に示す実施形態と同様の処理が実行され、通常再生が行われる（ステップＳ２５乃至Ｓ３１）。
【０１１６】
一方、ユーザが非重複再生モードを選択した場合（ステップＳ２３：ＮＯ）、システムコントローラ１００は内部メモリ１００ａ内に記憶されたオーディオ集中情報を参照し（ステップＳ３３）、総収録時間を表示する（ステップＳ３４）。
【０１１７】
次に、システムコントローラ１００は、次に再生しようとするトラックがそのＤＶＤにおける最初のトラックであるか否かを判断する（ステップＳ３５）。この最初のトラックとは、図３の例で言えばタイトルグループ＃１のトラック＃１である。最初のトラックである場合、システムコントローラ１００はそのトラックの情報をオーディオ集中情報から取得し（ステップＳ３７）、そのトラックのアドレス情報をメモリ１００ａに記憶する（ステップＳ３９）。なお、この場合にメモリに記憶するアドレス情報としては、通常はスタートアドレスのみを利用することが簡便であるが、誤動作防止等の点からスタートアドレス及びエンドアドレスの両方とすることも可能である。
【０１１８】
次に、システムコントローラ１００は、そのトラックを再生し（ステップＳ４１）、オーディオ集中情報に基づいて次のトラックの有無を判断する（ステップＳ４３）。次のトラックがある場合、処理はステップＳ３５へ戻る。今回は最初のトラックではないので（ステップＳ３５：ＮＯ）、ステップＳ４５へ進み、そのトラックの情報を取得する。次に、システムコントローラ１００はそのトラックのアドレス情報をメモリ１００ａに記憶されているアドレス情報と比較する。メモリ１００ａには、それまでに再生されたトラックのアドレス情報が全て記憶されているので、メモリ１００ａ内に同一のアドレス情報が存在する場合（ステップＳ４７：ＹＥＳ）は、そのトラックは重複トラックであることが分かる。従って、そのトラックの再生は行わずステップＳ４３へ飛び、次のトラックの処理を続ける。一方、同一のアドレス情報が存在しない場合（ステップＳ４７：ＮＯ）、そのトラックは重複トラックではないので、そのアドレス情報をメモリ１００ａに登録し（ステップＳ３９）、そのトラックの再生を行う（ステップＳ４１）。その後、ステップＳ４３へ進み、次のトラックの処理を行う。
【０１１９】
以上のように、リードインエリアＬＩ又はＡＭＧ２０２内のオーディオ集中情報中に重複情報（重複フラグ）が含まれていない場合であっても、オーディオ集中情報中に含まれる各トラックのアドレス情報を利用して重複トラックを迅速に識別し、非重複モードの再生を行うことができる。
【０１２０】
このように、重複情報が無い場合でも迅速且つ容易に非重複モードの再生を行うことができるのは、リードインエリアＬＩ又はＡＭＧ２０２にオーディオ集中情報として各トラックの情報、特にアドレス情報が記録されているからである。また、オーディオ集中情報を用いない再生の場合は、システムコントローラ１００は各ＡＴＳ２０３内のＡＴＳＩ２１１の全てのＡＰＧＣＩを参照し、各トラックのアドレス情報を取得しなければならず時間を要することになる。
【０１２１】
以上説明したように、本実施形態の再生装置によれば、ユーザの選択により、通常再生及び非重複再生を行うことができる。よって、ユーザの希望に応じて最適な方法でオーディオ情報を再生することができる。
【０１２２】
また、通常再生又は非重複再生の選択に応じて、それぞれの場合の所要再生時間が再生開始前に表示される。従って、ユーザは、指定した再生方法による再生時間を前もって知ることができる。これは、テープなどへのダビングの際に非重複再生を選択する時には、録音側のテープの記録時間などを確認するためなどに特に有益である。
【０１２３】
【発明の効果】
以上説明したように、請求項１に記載の発明によれば、複数の再生制御情報が同一のオーディオ実体情報の再生を規定するので、再生制御情報毎に重複してオーディオ実体情報を記録する必要が無くなり、効率的な情報の記録が可能となる。
【０１２４】
請求項２に記載の発明によれば、情報記録媒体上に記録された限られたオーディオ実体情報を利用して種々の情報群を規定することができる。
【０１２５】
請求項３に記載の発明によれば、集中再生制御情報を参照することにより全ての再生制御情報を得ることができるので、再生処理が簡素化される。
【０１２６】
請求項４に記載の発明によれば、各再生制御情報に対応するオーディオ実体情報のアドレス情報を参照することにより、同一のオーディオ実体情報に対応する再生制御情報を知ることができる。従って、非重複再生が指定された場合には、同一のオーディオ実体情報が繰返し再生されることを防止できる。
【０１２７】
請求項５に記載の発明によれば、重複情報を参照することにより、他の単位再生制御情報と同一のオーディオ実体情報の再生を規定する重複再生制御情報を識別することができる。従って、非重複再生が指定された場合には、同一のオーディオ実体情報が繰返し再生されることを防止できる。
【０１２８】
請求項６に記載の発明によれば、集中再生情報を参照することにより、全ての再生制御情報に対応するオーディオ実体情報の属性を取得することができ、再生時の処理を迅速かつ容易に行うことができる。
【０１２９】
請求項７に記載の発明によれば、リードインエリア内の集中再生制御情報が最初に読取られるので、その後の再生処理などを迅速かつ効率的に行うことが可能となる。
【０１３０】
請求項８に記載の発明によれば、再生装置は、通常再生が指定された場合には前記集中再生制御情報中に含まれる全ての前記単位再生制御情報に従って複数のオーディオ実体情報を再生する。一方、非重複再生が指定された場合には、前記重複情報を参照し、前記重複再生制御情報以外の単位再生制御情報に従って複数のオーディオ実体情報を再生する。従って、ユーザの選択に応じて、適切な再生モードでオーディオ情報を再生することが可能となる。
【０１３１】
請求項９に記載の発明によれば、通常再生又は非重複再生のいずれかを指定するユーザの指示が入力されると、再生装置は集中再生制御情報を参照して複数のオーディオ実体情報を再生する。ここで、再生装置は、通常再生が指定された場合には前記集中再生制御情報中に含まれる全ての前記単位再生制御情報に従って複数のオーディオ実体情報を再生する。一方、非重複再生が指定された場合には、記録手段の記録内容を参照し、対応する実体オーディオ情報のアドレス情報が前記記憶手段に記憶されていない単位再生制御情報のみに従って複数のオーディオ実体情報を再生する。従って、ユーザの選択に応じて、適切な再生モードでオーディオ情報を再生することが可能となる。
【０１３２】
請求項１０に記載の発明によれば、オーディオ情報の再生前に、指定した再生モードによる総再生時間が表示されるので、特にダビングなどの場合に録音時間を知ることができて便利である。
【０１３３】
請求項１１に記載の発明によれば、同一曲が異なるタイトルグループに重複して含まれるようにタイトルグループを定義し、当該曲に対応する単一のオーディオ実体情報のみを情報記録媒体上に記録するので、同一のオーディオ実体情報を重複して記録することなく、様々な態様でタイトルグループを定義することができる。
【０１３４】
請求項１２に記載の発明によれば、各タイトルグループの定義に従って全てのタイトルグループ中の曲を再生することができる。
【０１３５】
請求項１３に記載の発明によれば、異なるタイトルグループの再生において、同一の曲を重複して再生することを防止することができる。
【図面の簡単な説明】
【図１】記録情報の物理的構造（物理フォーマット）を示す図である。
【図２】記録情報の論理的構造（論理フォーマット）を示す図である。
【図３】オーディオ集中情報の例を示す図である。
【図４】オーディオＤＶＤ再生装置の概要構成を示すブロック図である。
【図５】オーディオデコーダの概要構成を示すブロック図である。
【図６】通常再生及び非重複再生の方法を示すフローチャートである。
【図７】通常再生及び非重複再生の他の方法を示すフローチャートである。
【符号の説明】
８０…ピックアップ
８３…トラックバッファ
８５…システムバッファ
９２…オーディオバッファ
９３…オーディオデコーダ
９８…入力部
９９…ディスプレイ
１００…システムコントローラ
１０１…ドライブコントローラ
２００…オーディオＤＶＤ
２０１…ＵＤＦ
２０２…ＡＭＧ
２０３…ＡＴＳ
２１０…ＶＯＢ
２１１…ＡＴＳＩ
２２０…セル
２３０…オーディオパック
２３１…ＲＴＩパック
【図１】
2004005967.tif 000003
【図２】
2004005967.tif 000004
【図３】
2004005967.tif 000005
【図４】
2004005967.tif 000006
【図５】
2004005967.tif 000007
【図６】
2004005967.tif 000008
【図７】
2004005967.tif 000009
【手続補正書】
【提出日】平成15年6月5日(2003.6.5)
【手続補正２】
【補正対象書類名】明細書
【補正対象項目名】特許請求の範囲
【補正方法】変更
【補正の内容】
【特許請求の範囲】
【請求項１】
インデックス、トラック、タイトル及びタイトルグループからなる階層を有する論理構造と、
セル、オーディオオブジェクト及びオーディオタイトルセットからなる階層構造を有する物理構造と、
から規定されるフォーマットでオーディオ情報が記録されていることを特徴とする情報記録媒体。
【請求項２】
前記インデックスは、１又は複数のセルの組み合わせであることを特徴とする請求項１に記載の情報記録媒体。
【請求項３】
前記インデックス、トラック及びタイトルグループはユーザによりアクセス可能であり、
前記タイトルはアクセスの単位として認識されないことを特徴とする請求項１又は２に記載の情報記録媒体。
【請求項４】
前記トラックの属性は複数のパターンから定義されていることを特徴とする請求項１乃至３のいずれか１に記載の情報記録媒体。
【請求項５】
前記セルは、オーディオパックから構成されていることを特徴とする請求項１乃至４のいずれか１に記載の情報記録媒体。
【請求項６】
前記セルは、オーディオパックとリアルタイムパックから構成されていることを特徴とする請求項１乃至５のいずれか１に記載の情報記録媒体。
【請求項７】
前記オーディオ情報の管理情報を記録するための管理情報エリアを有することを特徴とする請求項１乃至６のいずれか１に記載の情報記録媒体。
【請求項８】
前記トラックの再生制御情報をまとめて記録したオーディオ集中情報が更に記録されていることを特徴とする請求項１乃至７のいずれか１に記載の情報記録媒体。
【請求項９】
前記オーディオ集中情報は、管理情報エリアに記録されていることを特徴とする請求項８に記載の情報記録媒体。
【請求項１０】
前記オーディオ集中情報は、少なくとも、タイトルグループ番号、トラック番号、トラックのスタートアドレス、トラックのエンドアドレス及びトラックの属性情報から構成されていることを特徴とする請求項９に記載の情報記録媒体。
【請求項１１】
請求項１乃至１０のいずれか一項に記載の情報記録媒体から情報を再生する再生装置であって、
前記情報記録媒体から情報を読み取る読取手段と、
前記オーディオ情報を再生する再生手段と、
を備えることを特徴とする再生装置。
【請求項１２】
請求項１乃至１０のいずれか一項に記載の情報記録媒体から情報を再生する再生方法であって、
前記情報記録媒体から情報を読み取る読取工程と、
前記オーディオ情報を再生する再生工程と、
を備えることを特徴とする再生方法。
【手続補正３】
【補正対象書類名】明細書
【補正対象項目名】００１３
【補正方法】変更
【補正の内容】
【００１３】
【課題を解決するための手段】
上記の課題を解決するために、請求項１に記載の発明は、インデックス、トラック、タイトル及びタイトルグループからなる階層を有する論理構造と、セル、オーディオオブジェクト及びオーディオタイトルセットからなる階層構造を有する物理構造と、から規定されるフォーマットでオーディオ情報が記録されている。
【手続補正４】
【補正対象書類名】明細書
【補正対象項目名】００１４
【補正方法】変更
【補正の内容】
【００１４】
上記の課題を解決するために、請求項１１に記載の発明は、請求項１乃至１０のいずれか一項に記載の情報記録媒体から情報を再生する再生装置であって、前記情報記録媒体から情報を読み取る読取手段と、前記オーディオ情報を再生する再生手段と、を備える。
【手続補正５】
【補正対象書類名】明細書
【補正対象項目名】００１５
【補正方法】変更
【補正の内容】
【００１５】
上記の課題を解決するために、請求項１２に記載の発明は、請求項１乃至１０のいずれか一項に記載の情報記録媒体から情報を再生する再生方法であって、前記情報記録媒体から情報を読み取る読取工程と、前記オーディオ情報を再生する再生工程と、を備える。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】変更
【補正の内容】
【００４１】
（Ｉ）情報記録媒体の実施の形態
（１）オーディオＤＶＤの物理及び論理フォーマット
（Ａ）物理フォーマット
始めに、オーディオＤＶＤ上における物理フォーマット（物理的記録フォーマット）について、図１を用いて説明する。


【手続補正３１】
【補正対象書類名】明細書
【補正対象項目名】０１２３
【補正方法】削除
【補正の内容】
【手続補正３２】
【補正対象書類名】明細書
【補正対象項目名】０１２４
【補正方法】削除
【補正の内容】
【手続補正３３】
【補正対象書類名】明細書
【補正対象項目名】０１２５
【補正方法】削除
【補正の内容】
【手続補正３４】
【補正対象書類名】明細書
【補正対象項目名】０１２６
【補正方法】削除
【補正の内容】
【手続補正３５】
【補正対象書類名】明細書
【補正対象項目名】０１２７
【補正方法】削除
【補正の内容】
【手続補正３６】
【補正対象書類名】明細書
【補正対象項目名】０１２８
【補正方法】削除
【補正の内容】
【手続補正３７】
【補正対象書類名】明細書
【補正対象項目名】０１２９
【補正方法】削除
【補正の内容】
【手続補正３８】
【補正対象書類名】明細書
【補正対象項目名】０１３０
【補正方法】削除
【補正の内容】
【手続補正３９】
【補正対象書類名】明細書
【補正対象項目名】０１３１
【補正方法】削除
【補正の内容】
【手続補正４０】
【補正対象書類名】明細書
【補正対象項目名】０１３２
【補正方法】削除
【補正の内容】
【手続補正４１】
【補正対象書類名】明細書
【補正対象項目名】０１３３
【補正方法】削除
【補正の内容】
【手続補正４２】
【補正対象書類名】明細書
【補正対象項目名】０１３４
【補正方法】削除
【補正の内容】
【手続補正４３】
【補正対象書類名】明細書
【補正対象項目名】０１３５
【補正方法】削除
【補正の内容】